(57)【要約】      （修正有）【課題】ストラップを簡単に巻き取れる牽引道具を提供する。【解決手段】本考案は本体１０、推進レバー２０、及び回転装置を備える。前記本体の一端には枢軸１２が枢着される枢着部１０４が形成され、前記枢軸の両端には前記枢軸と同時に回転するラチェットホイール１３が更に覆設され、前記本体には弾性で滑動する係合部材１４１が内設され、前記係合部材は前記ラチェットホイールに弾性により当接される。前記推進レバーは一端が前記本体の枢着部１０４に枢着されると共に前記本体に対して枢動し、前記推進レバーには弾性で滑動する位置決め部材２２が内設され、前記位置決め部材は前記ラチェットホイールに弾性により当接される。これにより、前記推進レバーを操作することで前記位置決め部材及び前記係合部材が前記ラチェットホイールから離され、前記枢軸が自由状態を呈することで回転が容易になりストラップを簡単に巻き取れる。【選択図】図２
0003198368.tif 000002
【実用新案登録請求の範囲】
【請求項１】
第一端及び第二端を有し、且つ第一端には固定用ロープが連結され、第二端には枢軸が穿設され、前記枢軸にはストラップが連結され、前記枢軸の両端には前記枢軸と同時に回転するラチェットホイールが更に覆設され、弾性で滑動する係合部材が内設され、前記係合部材は前記ラチェットホイールに弾性により当接され、第二端には周辺に枢着部が形成される枢着孔が開設される本体と、
第一端及び第二端を有し、第一端は使用者に推進され、第二端には前記本体の枢着部に枢着される枢着孔が設けられ、且つ前記本体に対して枢動し、弾性で滑動する位置決め部材が内設され、前記位置決め部材は前記ラチェットホイールに弾性により当接され、前記枢軸には前記本体の枢着孔及びそれの枢着孔が穿設される推進レバーとを備え、
ここでは、前記推進レバーでの操作により前記位置決め部材及び前記係合部材が前記ラチェットホイールから離され、前記枢軸が自由状態を呈すると回転が容易になりストラップを簡単に巻き取れることを特徴とするストラップを簡単に巻き取れる牽引道具。
【請求項２】
第一端及び第二端を有し、且つ第一端には固定用ロープが連結され、第二端には枢軸が穿設され、前記枢軸にはストラップが連結され、前記枢軸の両端には前記枢軸と同時に回転するラチェットホイールが更に覆設され、弾性で滑動する係合部材が内設され、前記係合部材は前記ラチェットホイールに弾性により当接され、前記本体の第二端には枢着孔が開設される本体と、
第一端及び第二端を有し、第一端は使用者に推進され、第二端には周辺に枢着部が形成される枢着孔が設けられ、前記本体の枢着孔はそれの枢着部に枢着されると共に前記本体に対して枢動し、弾性で滑動する位置決め部材が内設され、前記位置決め部材は前記ラチェットホイールに弾性により当接され、前記枢軸には前記本体の枢着孔及びそれの枢着孔が穿設される推進レバーとを備え、
これにより、前記推進レバーを操作することで前記位置決め部材及び前記係合部材が前記ラチェットホイールから離され、前記枢軸が自由状態を呈することで回転が容易になりストラップを簡単に巻き取れることを特徴とするストラップを簡単に巻き取れる牽引道具。
【請求項３】
前記枢着部はリブ状或いは環状に設けられることを特徴とする、請求項１または２記載のストラップを簡単に巻き取れる牽引道具。
【請求項４】
前記推進レバーと前記枢軸との間には回転装置が更に装設され、前記枢軸が自動回転するための力量を提供することを特徴とする、請求項１または２記載のストラップを簡単に巻き取れる牽引道具。
【請求項５】
前記回転装置は固定部材及びトーションバネを備え、前記固定部材は前記推進レバーの第二端の一側に設置され、前記トーションバネは前記枢軸と前記固定部材との間に設置されることを特徴とする、請求項４記載のストラップを簡単に巻き取れる牽引道具。
【請求項６】
前記固定部材の周縁には複数の留め金具が凸設され、前記推進レバーは第二端に複数の係止部が開設され、前記係止部は前記固定部材の留め金具を係入させるのに用いられることを特徴とする、請求項５記載のストラップを簡単に巻き取れる牽引道具。
【請求項７】
前記推進レバーの第二端には支持部が凸設され、前記支持部は前記係合部材に接触されることを特徴とする、請求項５記載のストラップを簡単に巻き取れる牽引道具。
【請求項８】
前記本体の第二端には前記位置決め部材に当接される滑動部が形成され、前記滑動部の一側には限定部が設けられ、前記限定部により前記位置決め部材が制限されることを特徴とする、請求項７記載のストラップを簡単に巻き取れる牽引道具。
【請求項９】
前記枢着部はリブ状或いは環状に設けられることを特徴とする、請求項４記載のストラップを簡単に巻き取れる牽引道具。
【考案の詳細な説明】
【技術分野】
【０００１】
本考案は、ストラップを簡単に巻き取れる牽引道具に関する。
【背景技術】
【０００２】
従来のハンドウィンチはストラップを引いたり回収する過程において、須らく一定の力を加えなければ巻き取りが出来ず、操作が不便であるばかりでなく、使いにくかった。
【０００３】
例えば、特許文献１に開示されている「物を束ねる牽引道具」は、図２及び図７に示すように、左推進部材１及び右推進部材２が枢軸４に枢着され、且つ枢軸４の二端には一方向のホイール６が固設され、前記左推進部材１及び前記右推進部材２には弾性を有する係止板３及び係止板５がそれぞれ内設され、一方向のホイール６に弾力により当接されて係止による定位を形成させる。高速にストラップを引いたり回収する場合、左推進部材１及び右推進部材２が図２及び図７の位置まで推進され、枢軸４の両端に固設される一方向のホイール６が係止板３及び係止板５により係止されず定位しないため、前記枢軸４が解放状態になり、使用者がストラップを高速に引いたり回収できる。
【先行技術文献】
【特許文献】
【０００４】
【特許文献１】台湾特許出願第２２５７６５号公報
【考案の概要】
【考案が解決しようとする課題】
【０００５】
しかしながら、実際の使用では、前記枢軸４は容易に回転させることが出来ないため、図１７の枢軸４の部分拡大概念図を参照にすると、右推進部材２のカム端が係止板３を一方向のホイール６のラチェット６１から推進して、前記枢軸４を回転させる。但し、係止板３に一定の力をかけて右推進部材２のカム端に弾力により当接させねばならず、よって実際には右推進部材２のカム孔部は枢軸４に緊迫される。即ち、枢軸４が左推進部材１及び右推進部材２の剪断力で圧迫され、回転しにくくなる問題が起こった。故に、実際にはストラップを高速に巻き取る効果が全く達成されず、この問題は改善の必要があった。
【０００６】
そこで、本考案者は上記の欠点が改善可能と考え、鋭意検討を重ねた結果、合理的設計で上記の課題を効果的に改善する本考案のストラップを簡単に巻き取れる牽引道具の提案に到った。
【０００７】
本考案は、このような従来の問題に鑑みてなされたものであり、その目的とするところは、ストラップを簡単に巻き取れる牽引道具を提供することを主目的とする。
【課題を解決するための手段】
【０００８】
上述した課題を解決し、上記目的を達成するための本考案は、
第一端及び第二端を有し、且つ第一端には固定用ロープが連結され、第二端には枢軸が穿設され、前記枢軸にはストラップが連結され、前記枢軸の両端には前記枢軸と同時に回転するラチェットホイールが更に覆設され、弾性で滑動する係合部材が内設され、前記係合部材は前記ラチェットホイールに弾性により当接され、第二端には周辺に枢着部が形成される枢着孔が開設される本体と、
第一端及び第二端を有し、第一端は使用者に推進され、第二端には前記本体の枢着部に枢着される枢着孔が設けられ、且つ前記本体に対して枢動し、弾性で滑動する位置決め部材が内設され、前記位置決め部材は前記ラチェットホイールに弾性により当接され、前記枢軸には前記本体の枢着孔及びそれの枢着孔が穿設される推進レバーとを備え、
これにより、前記推進レバーでの操作により前記位置決め部材及び前記係合部材が前記ラチェットホイールから離され、前記枢軸が自由状態を呈すると回転が容易になりストラップを簡単に巻き取れることを特徴とするストラップを簡単に巻き取れる牽引道具。
【考案の効果】
【０００９】
本考案によれば、従来の構造によるハンドウィンチの構造的な設計不良を改善させることで、使用者がストラップを引いたり回収するのに力を要し、不便であった問題点を解決させる。
【図面の簡単な説明】
【００１０】
【図１】本考案の第１実施形態を示す外観斜視図である。
【図２】本考案の第１実施形態を示す展開図である。
【図３】第１実施形態の図１に示す３―３断面線に沿ってなる断面図である。
【図４】第１実施形態の図３に示す４―４断面線に沿ってなる断面図である。
【図５】本考案の第２実施形態を示す外観斜視図である。
【図６】本考案の第３実施形態を示す外観斜視図である。
【図７】本考案の第３実施形態を示す展開図である。
【図８】本考案の第３実施形態の図６に示す８―８断面線に沿ってなる断面図である。
【図９】本考案の第３実施形態の図８に示す９―９断面線に沿ってなる断面図である。
【図１０】本考案の第３実施形態の図９の展開図である。
【図１１】本考案の第３実施形態の図１０の他の概念図である。
【図１２】本考案の第４実施形態を示す外観斜視図である。
【図１３】本考案の第４実施形態を示す断面の概念図である。
【図１４】本考案の第５実施形態を示す外観斜視図である。
【図１５】本考案の第５実施形態を示す展開図である。
【図１６】本考案の第５実施形態を示す断面の概念図である。
【図１７】従来の枢軸部の部分を示す拡大の概念図である。
【考案を実施するための形態】
【００１１】
以下に図面を参照して、本考案を実施するための形態について、詳細に説明する。なお、本考案は、以下に説明する実施形態に限定されるものではない。
【００１２】
＜第１実施形態＞
以下、本考案の具体的な実施形態について添付図面に基づき説明する。図１は本考案の第１実施形態であり、本体１０及び推進レバー２０を備える。前記本体１０は第一端及び第二端を有し（図２乃至図４参照）、第一端には固定棒１１が設置され(図１１参照)、前記固定棒１１には固定用ロープ４１が連結される(図１１参照)。前記本体１０の第二端には滑動部１０１が形成され、前記滑動部１０１内には枢着孔１０２が開設され、前記枢着孔１０２内には枢軸１２が穿設され、前記枢軸１２はストラップ４０に連結される(図１１参照)。前記本体は前記枢着孔１０２の周辺にリブ状の枢着部１０４が更に形成される。
【００１３】
前記本体１０は前記滑動部１０１の内側に前記枢軸１２に覆設される２つの一方向のラチェットホイール１３が更に設置され、前記滑動部１０１の一側には限定部１０３が更に形成される。前記本体１０には弾性で滑動する係合部材１４が内設され、前記係合部材１４の両側には係合部材１４１がそれぞれ形成され、前記係合部材１４１は前記本体１０の両側に突出して露出され、前記係合部材１４１は前記ラチェットホイール１３のラチェット１３１の箇所に進入すると共に係合しての定位が形成される。
【００１４】
前記推進レバー２０は前記本体１０の枢着部１０４に枢着されると共に前記本体１０に対して枢動する。前記推進レバー２０は第一端及び第二端を有し、第一端には使用者に把持させるための把持部２１が設けられる。前記推進レバー２０の第二端には前記本体１０の枢着部１０４に覆設される枢着孔２０１が開設される。前記推進レバー２０の第二端には支持部２０２が更に凸設され、前記支持部２０２は前記本体１０の係合部材１４の両端の係合部材１４１に接触される。前記推進レバー２０の前記枢着孔２０１に近接する箇所には、位置決め部材２２の装設に用いられる位置決め溝２０３が更に開設される。
【００１５】
前記位置決め部材２２の両側には位置決め部２２１がそれぞれ形成され、前記位置決め部２２１は前記推進レバー２０の両側から突出して露出され、且つ前記位置決め部２２１は前記本体１０の滑動部１０１に当接されると共に前記ラチェットホイール１３のラチェット１３１の間に進入する。前記位置決め部材２２の前記位置決め部２２１とは異なる一端には使用者が引くための引棒２２２が設置される。前記位置決め溝２０３には弾性体２３の装設に用いられるバンプ２０４が更に内設され、前記弾性体２３の一端は前記推進レバー２０に当接され、他端は前記位置決め部材２２に掛合され、前記位置決め部材２２を前記本体１０の滑動部１０１に当接されるための力を保持させる。前記位置決め部材２２には前記弾性体２３を掛合させるための孔部２２３が内設される。
【００１６】
ストラップ４０を回収したり高速に引き出す場合、固定用ロープ４１及びストラップ４０の末端を解放し、前記推進レバー２０を推進する際に同時に前記位置決め部材２２を引き、前記推進レバー２０を前記本体１０の限定部１０３まで時計回りに回転させ、その後前記位置決め部材２２を放し、前記位置決め部材２２の両端の位置決め部２２１が前記限定部１０３に落とされ、前記ラチェットホイール１３に係合しなくなる。
【００１７】
同時に、前記推進レバー２０の支持部２０２が前記係合部材１４の一側に回転して近接し、これにより前記係合部材１４が押し開かれ、前記係合部材１４の係合部材１４１が前記ラチェットホイール１３から離される。係合部材１４が推進レバー ２０に掛ける力量は枢軸１２に伝達されず、本体１０の枢着部１０４に吸収される。即ち、枢軸１２が自由状態になり、故にストラップ４０が引かれると、ストラップ４０が簡単に巻き取れるようになる。
【００１８】
＜第２実施形態＞
図５は本考案の第２実施形態である。本実施形態は前述の実施形態とほぼ同じであり、差異は、前記枢着部１０５の設計が異なり、前記枢着部１０５が環状に設けられ、第１実施形態と同様の効果を有する点である。
【００１９】
＜第３実施形態＞
図６は本考案の第３実施形態である。本実施形態は第１実施形態と概ね同じであり、異なる箇所は、前記推進レバー２０と前記枢軸１２との間に回転装置３０が更に装設され、前記回転装置３０により前記枢軸１２が自動回転する力量が提供される点である。
【００２０】
また、前記回転装置３０は固定部材３１及びトーションバネ３２を備える（図７乃至図１０参照）。前記固定部材３１は前記推進レバー２０の第二端の箇所に装設される。前記固定部材３１はほぼドーム形状を呈し、前記固定部材３１は周縁に環状壁面３１１が形成され、前記壁面３１１の内側には結合部３１２が設けられる。前記固定部材３１は壁面３１１の一側に複数の留め金具３１３が更に凸設されると共に前記推進レバー２０に結合されるのに用いられる。前記推進レバー２０は前記固定部材３１の留め金具３１３に対して複数の係止部２０５が設けられると共に前記留め金具３１３を進入させて係止させる。
【００２１】
前記トーションバネ３２は前記固定部材３１の壁面３１１に内設されると共に第一端及び第二端を有し、第一端は前記固定部材３１の壁面３１１内の結合部３１２に結合され、前記トーションバネ３２の第二端は前記枢軸１２に結合される。これにより、前記トーションバネ３２が前記枢軸１２が自動回転するための力量を提供する。
【００２２】
緊縛の使用状態にしたい場合、固定用ロープ４１及びストラップ４０の末端を固定させ、前記推進レバー２０を推進して時計回りに回転させ、前記位置決め部材２２により前記ラチェットホイール１３が連動されて回転され、前記ラチェットホイール１３が回転すると前記係合部材１４が押し開かれ、枢軸１２が連動されて回転し、この際ストラップ４０の一部が前記枢軸１２に回収される。このように、反復操作により緊縛の効果が発生する。
【００２３】
使用後にストラップ４０を回収する場合、固定用ロープ４１及びストラップ４０の末端を解放させ、前記推進レバー２０の推進と同時に前記位置決め部材２２を引き、前記推進レバー２０を前記本体１０の限定部１０３まで時計回りに回転させ、前記位置決め部材２２を解放し、前記位置決め部材２２の両端の位置決め部２２１が前記限定部１０３に落とされ、前記ラチェットホイール１３に係合しなくなる(図１０及び図１１参照)。
【００２４】
同時に、前記推進レバー２０の支持部２０２が前記係合部材１４の一側に回転して近接し、これにより前記係合部材１４が押し開かれ、前記係合部材１４の係合部材１４１が前記ラチェットホイール１３から離される。係合部材１４が推進レバー２０に掛ける力量が枢軸１２に伝達されずに本体１０の枢着部１０４に吸収される。即ち、枢軸１２が自由状態になり、故にラチェットホイール１３が前記回転装置３０の回転の力量を受けて時計回りに回転し、前記枢軸１２を容易に連動させてストラップ４０を巻き取らせ、高速自動巻き取り効果が発生する。
【００２５】
＜第４実施形態＞
図１２及び図１３は本考案の第４実施形態である。本実施形態は前述の第３実施形態に大方同様であり、差異は、枢着部２０６の設置位置が異なる点である。
【００２６】
前記推進レバー２０は第二端の枢着孔２０１の周辺に枢着部 ２０６が形成され、前記本体１０の第二端の枢着孔１０２は前記枢着部２０６に覆設され、対応する枢動関係が発生する。これにより係合部材１４が推進レバー２０に力量を掛けると、枢軸１２には伝達されずに推進レバー２０の枢着部２０６を経由して本体１０の枢着孔１０２の箇所に伝達される。即ち、枢軸１２が自由状態を呈し、よってラチェットホイール１３が前記回転装置３０の回転の力量を受けて時計回りに回転するため、前記枢軸１２が容易に連動されてストラップ４０が巻き取られ、高速に自動巻き取り可能になる。
【００２７】
当然ながら、前記枢着部２０６が第２実施形態のように環状に設けられてもよい。
【００２８】
＜第５実施形態＞
図１４乃至図１６は本考案の第５実施形態である。本実施形態は前述の第３実施形態と概ね同じであり、差異は、牽引道具の構造が異なり、但し本体１０、枢軸１２、２つのラチェットホイール１３、推進レバー２０、及び回転装置３０を同様に有する。
【００２９】
なお、前記本体１０の第二端の枢着孔１０２の周辺には同様に枢着部１０４が形成され、前記推進レバー２０の枢着孔２０１は前記枢着部１０４に覆設され、対応する枢動関係が発生する。この設計により、枢軸１２が自由状態を呈し、ラチェットホイール１３が前記回転装置３０の回転の力量を受けて時計回りに回転すると、前記枢軸１２が容易に連動してストラップ４０が巻き取られ、高速自動巻き取り効果を提供する。
【００３０】
結論として、上述のように本考案は以下の長所を有する。
１．本考案に係わる『ストラップを簡単に巻き取れる牽引道具』は、前記推進レバーの枢着孔が前記本体の枢着部に覆設され、前記枢軸が係合部材による当接力に阻害されないため係合せず、ストラップの簡単巻き取り効果を達成させる。
２．本考案に係わる『ストラップを簡単に巻き取れる牽引道具』は、前記枢着部が推進レバーの枢着孔の箇所に設けられるように変更され、本体の枢着孔が推進レバーの枢着部に覆設され、同様に枢軸が自由状態を呈し、ストラップの簡単巻き取り効果を達成させる。
３．本考案に係わる『ストラップを簡単に巻き取れる牽引道具』は、前記枢着部がリブ状或いは環状に設けられ、また、他の異なる多くの牽引道具で実施可能であり、同様に前記枢軸が自由状態を呈し、ストラップの簡単巻き取り効果を達成させる。
【００３１】
以上、本考案の実施形態について図面を参照して詳述したが、具体的な構成はこの実施形態に限られるものではなく、本考案の要旨を逸脱しない範囲の設計変更等も含まれる。
【符号の説明】
【００３２】
１０、本体
１０１、滑動部
１０２、枢着孔
１０３、限定部
１０４、枢着部
１０５、枢着部
１１、固定棒
１２、枢軸
１３、ラチェットホイール
１３１、ラチェット
１４、係合部材
１４１、係合部材
２０、推進レバー
２０１、枢着孔
２０２、支持部
２０３、位置決め溝
２０４、バンプ
２０５、係止部
２０６、枢着部
２１、把持部
２２、位置決め部材
２２１、位置決め部
２２２、引棒
２２３、孔部
２３、弾性体
３０、回転装置
３１、固定部材
３１１、壁面
３１２、結合部
３１３、留め金具
３２、トーションバネ
４０、ストラップ
４１、固定用ロープ
１、左推進部材
２、右推進部材
３、係止板
４、枢軸
５、係止板
６、一方向のホイール
６１、ラチェット
【図１】
0003198368.tif 000003
【図２】
0003198368.tif 000004
【図３】
0003198368.tif 000005
【図４】
0003198368.tif 000006
【図５】
0003198368.tif 000007
【図６】
0003198368.tif 000008
【図７】
0003198368.tif 000009
【図８】
0003198368.tif 000010
【図９】
0003198368.tif 000011
【図１０】
0003198368.tif 000012
【図１１】
0003198368.tif 000013
【図１２】
0003198368.tif 000014
【図１３】
0003198368.tif 000015
【図１４】
0003198368.tif 000016
【図１５】
0003198368.tif 000017
【図１６】
0003198368.tif 000018
【図１７】
0003198368.tif 000019